(57)【要約】【課題】トリックプレイのときに生じるフラッシングやロールなどの画像の乱れを減少させる。【解決手段】ビデオ信号処理回路１はビデオ信号Ｐ１を受信してアナログ用同期信号Ｐ４を出力し、アナログ用同期信号Ｐ４に同期するトリックプレイ同期信号Ｐ６を出力する同期信号生成回路２と、ビデオ信号処理回路１が受信したビデオ信号Ｐ１がトリックプレイであるときは、画像処理回路５に入力されるディジタル用同期信号Ｐ３をトリックプレイ同期信号Ｐ６に切り替える第１の制御手段４とを具備する。【選択図】        図１
2004235918.tif 000002
【特許請求の範囲】
【請求項１】
ビデオ信号を受信してＲＧＢ信号とディジタル用同期信号を出力するビデオ信号処理回路と、該ビデオ信号処理回路からのＲＧＢ信号と前記ディジタル用同期信号を受信して前記ディジタル用同期信号に同期した液晶表示信号を出力する画像処理回路と、該画像処理回路からの液晶表示信号を受信して画像を表示する液晶表示部を備えた液晶ビデオ表示装置において、前記ビデオ信号処理回路は前記ビデオ信号を受信してアナログ用同期信号を出力し、前記アナログ用同期信号に同期するトリックプレイ同期信号を出力する同期信号生成回路と、前記ビデオ信号処理回路が受信した前記ビデオ信号がトリックプレイであるときは、前記画像処理回路に入力される前記ディジタル用同期信号を前記トリックプレイ同期信号に切り替える制御手段とを備え、前記画像処理回路はトリックプレイのときは前記トリックプレイ同期信号に同期した液晶表示信号を出力することを特徴とする液晶ビデオ表示装置。
【請求項２】
ビデオ信号を受信してＲＧＢ信号とディジタル用同期信号とアナログ用同期信号を出力するビデオ信号処理回路と、前記アナログ用同期信号に同期するトリックプレイ同期信号と前記アナログ用同期信号に同期するトリックプレイ垂直同期信号を出力する同期信号生成回路と、前記ビデオ信号処理回路が受信した前記ビデオ信号がトリックプレイでないときは前記ビデオ信号処理回路からのディジタル用同期信号を出力し、トリックプレイであるときは前記同期信号生成回路からの前記トリックプレイ同期信号を出力する第１の制御手段と、前記第１の制御手段からの出力信号に同期して前記ビデオ信号処理回路からの前記ＲＧＢ信号をアナログディジタル変換し、ディジタル画像信号と垂直同期信号を出力するアナログディジタルコンバータと、前記ビデオ信号処理回路が受信した前記ビデオ信号がトリックプレイでないときは前記アナログディジタルコンバータからの垂直同期信号を出力し、トリックプレイであるときは前記同期信号生成回路からの前記トリックプレイ垂直同期信号を出力する第２の制御手段と、前記第２の制御手段からの出力信号に同期して前記アナログディジタルコンバータからのディジタル画像信号を処理し液晶表示信号を出力する表示回路と、該表示回路からの液晶表示信号を受信して画像を表示する液晶表示部を備えたことを特徴とする液晶ビデオ表示装置。
【発明の詳細な説明】
【０００１】
【発明の属する技術分野】
本発明は、トリックプレイのビデオ信号を受信して画像を表示する液晶表示装置に関する。
【０００２】
【従来の技術】
現在液晶表示装置（液晶テレビ）が市販されている。液晶表示装置はビデオ再生装置からビデオ信号を受信してビデオ画像を表示することもできる（例えば、以下の特許文献１を参照）。
【０００３】
【特許文献１】
特開平９−２７０９３７号公報
【０００４】
【発明が解決しようとする課題】
しかしながら、通常より早い速度で画像を再生するトリックプレイのときは、ビデオ信号のＣＶＢＳ信号（コンポジットビデオ信号）にジッタが多く、ディジタル変換し、液晶表示部を表示した場合にフラッシングやロールなどで画像が乱れる。
【０００５】
【課題を解決するための手段】
上記課題を解決するために、請求項１の本発明では、ビデオ信号を受信してＲＧＢ信号とディジタル用同期信号を出力するビデオ信号処理回路と、該ビデオ信号処理回路からのＲＧＢ信号と前記ディジタル用同期信号を受信して前記ディジタル用同期信号に同期した液晶表示信号を出力する画像処理回路と、該画像処理回路からの液晶表示信号を受信して画像を表示する液晶表示部を備えた液晶ビデオ表示装置において、前記ビデオ信号処理回路は前記ビデオ信号を受信してアナログ用同期信号を出力し、前記アナログ用同期信号に同期するトリックプレイ同期信号を出力する同期信号生成回路と、前記ビデオ信号処理回路が受信した前記ビデオ信号がトリックプレイであるときは、前記画像処理回路に入力される前記ディジタル用同期信号を前記トリックプレイ同期信号に切り替える制御手段とを備え、前記画像処理回路はトリックプレイのときは前記トリックプレイ同期信号に同期した液晶表示信号を出力する。
【０００６】
請求項２の本発明では、ビデオ信号を受信してＲＧＢ信号とディジタル用同期信号とアナログ用同期信号を出力するビデオ信号処理回路と、前記アナログ用同期信号に同期するトリックプレイ同期信号と前記アナログ用同期信号に同期するトリックプレイ垂直同期信号を出力する同期信号生成回路と、前記ビデオ信号処理回路が受信した前記ビデオ信号がトリックプレイでないときは前記ビデオ信号処理回路からのディジタル用同期信号を出力し、トリックプレイであるときは前記同期信号生成回路からの前記トリックプレイ同期信号を出力する第１の制御手段と、前記第１の制御手段からの出力信号に同期して前記ビデオ信号処理回路からの前記ＲＧＢ信号をアナログディジタル変換し、ディジタル画像信号と垂直同期信号を出力するアナログディジタルコンバータと、前記ビデオ信号処理回路が受信した前記ビデオ信号がトリックプレイでないときは前記アナログディジタルコンバータからの垂直同期信号を出力し、トリックプレイであるときは前記同期信号生成回路からの前記トリックプレイ垂直同期信号を出力する第２の制御手段と、前記第２の制御手段からの出力信号に同期して前記アナログディジタルコンバータからのディジタル画像信号を処理し液晶表示信号を出力する表示回路と、該表示回路からの液晶表示信号を受信して画像を表示する液晶表示部を備えた。
【０００７】
【発明の実施の形態】
本発明の実施の形態を図に基づき説明する。図１は本発明の要部を示すブロック図である。ビデオ信号処理回路（１）は、ビデオ再生装置からコンポジットビデオ信号（ＣＶＢＳ信号）、Ｙ／Ｃセパレート信号（Ｓ−ＶＨＳ）とコンポーネントビデオ信号（ＲＧＢ）からなるビデオ信号（Ｐ１）を受信し、ＲＧＢ信号（Ｐ２）と、ディジタル用同期信号（ＣＳＹＮＣ）（Ｐ３）と、アナログ用同期信号（ＳＡＮＤＣＡＳＴＬＥ）（Ｐ４）を出力する。ビデオ信号処理回路（１）は受信したビデオ信号（Ｐ１）がトリックプレイであるか否かを示すトリックプレイ検出信号（Ｐ５）を出力する。
【０００８】
同期信号生成回路（２）は、図２の楕円部分に示すように、ビデオ信号処理回路（１）のアナログ用同期信号（Ｐ４）に同期するトリックプレイ同期信号（Ｐ６）と前記アナログ用同期信号に同期するトリックプレイ垂直同期信号（Ｐ７）を出力する。
【０００９】
（３）は第１のスイッチであり、ビデオ信号処理回路（１）からのディジタル用同期信号（Ｐ３）と同期信号生成回路（２）からのトリックプレイ同期信号（Ｐ６）を選択的に切り替えた出力信号（Ｐ８）を出力する。
【００１０】
制御手段（第１の制御手段）（４）はビデオ信号処理回路（１）からのトリックプレイ検出信号（Ｐ５）に基づいて、ビデオ信号処理回路（１）が受信したビデオ信号（Ｐ１）がトリックプレイでない時は、第１のスイッチ（３）の出力信号（Ｐ８）がビデオ信号処理回路（１）からのディジタル用同期信号（Ｐ３）となるように制御し、トリックプレイである時は、第１のスイッチ（３）の出力信号（Ｐ８）が同期信号生成回路（２）からのトリックプレイ同期信号（Ｐ６）となるように制御する。
【００１１】
画像処理回路（５）はアナログディジタルコンバータ（ＡＤＣ）（５１）、第２のスイッチ（５２）、第２の制御手段（第２の制御回路）（５３）と表示回路（５４）を有する。
【００１２】
アナログディジタルコンバータ（５１）は第１のスイッチ（３）からの出力信号（Ｐ８）に同期してビデオ信号処理回路（１）からのＲＧＢ信号（Ｐ２）をアナログディジタル変換し、ディジタル画像信号（Ｐ９）と、垂直同期信号（Ｐ１０）を出力する。
【００１３】
第２のスイッチ（５２）は、アナログディジタルコンバータ（５１）からの垂直同期信号（Ｐ１０）と同期信号生成回路（２）からのトリックプレイ垂直同期信号（Ｐ７）を選択的に切り替えた出力信号（Ｐ１１）を出力する。
【００１４】
第２の制御手段（５３）は、第１の制御手段（４）を介して受信するビデオ信号処理回路（１）からのトリックプレイ検出信号（Ｐ５）に基づいて、ビデオ信号処理回路（１）が受信したビデオ信号（Ｐ１）がトリックプレイでないときは第２のスイッチ（５２）の出力信号（Ｐ１１）がアナログディジタルコンバータ（５１）からの垂直同期信号（Ｐ１０）となるように制御し、トリックプレイであるときは、第２のスイッチ（５２）の出力信号（Ｐ１１）が同期信号生成回路（２）からのトリックプレイ垂直同期信号（Ｐ７）となるように制御する。
【００１５】
表示回路（５４）は、第２のスイッチ（５２）からの出力信号（Ｐ１１）に同期して、アナログディジタルコンバータ（５１）からのディジタル画像信号（Ｐ９）を処理し、液晶表示信号を液晶表示部（ＬＣＤ）（６）に出力する。ＬＣＤ（６）は、表示回路（５４）からの液晶表示信号を受信して画像を表示する。
【００１６】
本願発明は、ビデオ信号処理回路（１）が出力する同期信号はディジタル用よりもアナログ用の方がトリックプレイに適している事に着眼したものである。
【００１７】
上述の如く、トリックプレイのときは、アナログ用の同期信号に基づいた同期信号でビデオ信号処理回路（１）からのＲＧＢ信号（Ｐ２）をディジタル変換し、アナログ用の同期信号に基づいた垂直同期信号でアナログディジタルコンバータ（５１）からのディジタル画像信号（Ｐ９）を処理する。これにより、フラッシングやロールなどの画像の乱れを減少させることができる。
【００１８】
【発明の効果】
トリックプレイのときに生じるフラッシングやロールなどの画像の乱れを減少させる。
【図面の簡単な説明】
【図１】本発明の要部の構成を示すブロック図である。
【図２】図１の信号Ｐ４，Ｐ６，Ｐ７の波形を示す図である。
【符号の説明】
１  ビデオ信号処理回路
２  同期信号生成回路
３  第１のスイッチ
４  第１の制御手段
５  画像処理回路
５１  アナログディジタルコンバータ
５２  第２のスイッチ
５３  第２の制御手段
５４  表示回路
６  液晶表示部（ＬＣＤ）
【図１】
2004235918.tif 000003
【図２】
2004235918.tif 000004